(57)【要約】【課題】  遊技盤を取付枠に対して前方及び後方のいずれの方向からでも着脱できるようにしたパチンコ遊技機を提供する。【解決手段】  設置領域２０が開口して形成された取付枠６と、前記設置領域２０に着脱自在に取付けられる遊技盤７と、前記取付枠６に係止して遊技盤７を固定する係止部材２５とを備え、前記係止部材２５は遊技盤７の周縁の所定個所に遊技盤７を貫通する軸部２６により回動自在に設けられ、前記軸部２６の一端に半径方向に延出して取付枠６の後面に当接し遊技盤７の前方への移動を阻止する前方位置決片２７を設け、他端に半径方向に延出して取付枠６の前面に当接し遊技盤７の後方への移動を阻止する後方位置決片２８を設け、かつ前記前方位置決片２７と後方位置決片２８とは互いに延出方向を所定角度ずらして設けた。【選択図】図３
2005046381.tif 000002
【特許請求の範囲】
【請求項１】
設置領域が開口して形成された取付枠と、前記設置領域に着脱自在に取付けられる遊技盤と、前記取付枠に係止して遊技盤を固定する係止部材とを備え、
前記係止部材は遊技盤の周縁の所定個所に遊技盤を貫通する軸部により回動自在に設けられ、前記軸部の一端に半径方向に延出して取付枠の後面に当接し遊技盤の前方への移動を阻止する前方位置決片を設け、他端に半径方向に延出して取付枠の前面に当接し遊技盤の後方への移動を阻止する後方位置決片を設け、かつ前記前方位置決片と後方位置決片とは互いに延出方向を所定角度ずらして設けたことを特徴とするパチンコ遊技機における遊技盤の取付構造。
【請求項２】
設置領域が開口して形成された取付枠と、前記設置領域に着脱自在に取付けられる遊技盤と、前記遊技盤に係止して該遊技盤を取付枠に固定する係止部材とを備え、
前記係止部材は取付枠の開口周縁の所定個所に取付枠を貫通する軸部により回動自在に設けられ、前記軸部の一端に半径方向に延出して遊技盤の前面に当接し遊技盤の前方への移動を阻止する前方位置決片を設け、他端に半径方向に延出して遊技盤の後面に当接し遊技盤の後方への移動を阻止する後方位置決片を設け、かつ前記前方位置決片と後方位置決片とは互いに延出方向を所定角度ずらして設けたことを特徴とするパチンコ遊技機における遊技盤の取付構造。
【請求項３】
軸部の一端に半径方向に延出して遊技盤の前面又は取付枠の後面に当接する前方位置決片を設け、他端に半径方向に延出して遊技盤の後面又は取付枠の前面に当接する後方位置決片を設け、かつ前方位置決片と後方位置決片とは互いに延出方向を所定角度ずらして設けたことを特徴とする遊技盤の係止部材。
【請求項４】
軸方向に起立する摘み部を前記前方位置決片及び後方位置決片に一体に形成したことを特徴とする請求項３記載の遊技盤の係止部材。
【請求項５】
前記軸部の両端に、遊技盤又は取付枠の前後を挟着する一対の挟着片を前記前方位置決片及び後方位置決片と同一平面内にて同一方向に延出するように設けたことを特徴とする請求項３又は４記載の遊技盤の係止部材。
【発明の詳細な説明】
【技術分野】
【０００１】
本発明は、遊技盤の着脱作業の容易化を図ったパチンコ遊技機に関するものである。
【背景技術】
【０００２】
従来、一般的なパチンコ遊技機は、遊技盤のみの運搬及びホールにおいて遊技盤のみを交換することにより機種変更を可能にするために、遊技盤が着脱できるようになっている。すなわち、パチンコ遊技機の前面に前面枠が開閉自在に設けられ、その裏面に一体又は別体で設けられる取付枠に遊技盤が着脱自在に設けられている。そして、その遊技盤の着脱方向は機種により異なり、パチンコ遊技機の後方から装着するように遊技盤の前面を受ける受部を設けたり、パチンコ遊技機の前方から装着するように本体枠に遊技盤の後面を受ける受け部を設けたりしていた（例えば、特許文献１及び特許文献２参照。）
【特許文献１】特公平４−６８９５７号公報（図４及び図５）
【特許文献２】特開平１１−４７３８９号公報（図１及び図６）
【発明の開示】
【発明が解決しようとする課題】
【０００３】
従来のパチンコ遊技機における遊技盤の取付けにあっては、パチンコ遊技機の組立て時とホールでの遊技盤の交換時とではその取付方向によって、優位性が大きく異なっている。つまり、パチンコ遊技機の組立て時においては、遊技盤はパチンコ遊技機の裏面側から装着したほうが効率がよい。それというのも、遊技盤の裏面側に球払出装置等を備えた機構板を装着しなければならないため、遊技盤を前面側から装着するようにすると、いちいちパチンコ遊技機を反転させてから機構板を装着しなければならず、作業性が悪くなるという問題がある。一方、ホールにおいて、遊技盤のみの交換により機種変更する際には、パチンコ遊技機が島台に設置された状態であるため、ガラス扉枠を開放して、遊技盤を着脱したほうが作業効率がよい。それというのも、遊技盤をパチンコ遊技機の後方から装着するものであると、前面枠を開放してさらに機構板を開放してから、遊技盤を取外さなければならないため、交換作業が煩雑となっていた。このように、パチンコ遊技機の組立て時とホールでの遊技盤交換時とで、作業優位性が異なっていることから、前方又は後方のいずれか一方からの遊技盤の取付けは、パチンコ遊技機の組立て時又はホールでの遊技盤交換時のどちらかに不便さを強いることになっていた。
【０００４】
また、遊技盤の取付方向により遊技盤の前面又は後面に当接して前後方向の相対位置を決める位置決め手段を取付枠に設けているため、金型や成形作業が複雑となりコストの増加の起因ともなっていた。
【課題を解決するための手段】
【０００５】
そこで、前記課題を解決するために、請求項１記載の発明は、設置領域が開口して形成された取付枠と、前記設置領域に着脱自在に取付けられる遊技盤と、前記取付枠に係止して遊技盤を固定する係止部材とを備え、前記係止部材は遊技盤の周縁の所定個所に遊技盤を貫通する軸部により回動自在に設けられ、前記軸部の一端に半径方向に延出して取付枠の後面に当接し遊技盤の前方への移動を阻止する前方位置決片を設け、他端に半径方向に延出して取付枠の前面に当接し遊技盤の後方への移動を阻止する後方位置決片を設け、かつ前記前方位置決片と後方位置決片とは互いに延出方向を所定角度ずらして設けたことを特徴とする。そして、取付枠の前方又は後方から係止部材を操作して前記遊技盤の装着方向に対して逆方向（手前）に位置する位置決片のみが遊技盤の外方に突出する状態と前後方位置決片が共に遊技盤の外方に突出し取付枠に係止して遊技盤を固定する状態とに変位操作し得るようにした。
【０００６】
請求項２記載の発明は、設置領域が開口して形成された取付枠と、前記設置領域に着脱自在に取付けられる遊技盤と、前記遊技盤に係止して該遊技盤を取付枠に固定する係止部材とを備え、前記係止部材は取付枠の開口周縁の所定個所に取付枠を貫通する軸部により回動自在に設けられ、前記軸部の一端に半径方向に延出して遊技盤の前面に当接し遊技盤の前方への移動を阻止する前方位置決片を設け、他端に半径方向に延出して遊技盤の後面に当接し遊技盤の後方への移動を阻止する後方位置決片を設け、かつ前記前方位置決片及び後方位置決片は互いに延出方向を所定角度ずらして設けたことを特徴とする。そして、取付枠の前方又は後方から係止部材を操作して前記遊技盤の装着方向に対して正方向に位置する位置決片のみが設置領域内に臨む状態と前後方位置決片が共に設置領域内に臨み遊技盤に係止して該遊技盤を取付枠に固定する状態とに変位操作し得るようにした。
【０００７】
請求項３記載の発明は、遊技盤の係止部材であって、軸部の一端に半径方向に延出して遊技盤の前面又は取付枠の後面に当接する前方位置決片を設け、他端に半径方向に延出して遊技盤の後面又は取付枠の前面に当接する後方位置決片を設け、かつ前方位置決片と後方位置決片とは互いに延出方向を所定角度ずらして設けたことを特徴とする。係止部材に遊技盤の位置決片を設けることで、取付枠の少なくとも一部又は全部に位置決規制片を設けることがなくなり、取付枠の成形が簡単となる。
【０００８】
請求項４記載の発明は、請求項３記載発明において、軸方向に起立する摘み部を前記前方位置決片及び後方位置決片に一体に形成したことを特徴とする。
【０００９】
請求項５記載の発明は、請求項３又は４記載発明において、前記軸部の両端に、遊技盤又は取付枠の前後を挟着する一対の挟着片を前記前方位置決片及び後方位置決片と同一平面内にて同一方向に延出するように設けたことを特徴とする。
【００１０】
前記前方位置決片及び後方位置決片は前記軸部の軸方向に投影してなる投影部が互いに重ならないように位相をほぼ９０°ずらして半径方向に延出するのが好ましい。
【００１１】
前記遊技盤の周縁又は取付枠の開口周縁に前後方向に貫通すると共に一側に挿入口を開口した保持部を形成し、前記保持部に前記係止部材を着脱自在に設けるのが好ましく、係止部材が破損しても簡単に交換することができる。
【００１２】
前記係止部材は、前記前方位置決片及び後方位置決片により遊技盤を取付枠に固定するようにして、構造を簡単にするのが好ましい。
【００１３】
前記係止部材は、遊技盤面に対して垂直な回動軸を中心として回動自在に設けるのが好ましい。
【００１４】
上記構成により、係止部材の前後いずれか一方の位置決片が遊技盤の設置領域に対する位置決め手段となり、その係止部材の回動位置により前記遊技盤を取付枠の前方又は後方のいずれの方向からも着脱自在に装着し得ることができるようにした。
【発明の効果】
【００１５】
本発明に係るパチンコ遊技機における遊技盤の取付構造は、遊技盤を取付枠に固定する係止部材に遊技盤の取付枠に対する相対位置を決める前後方位置決片を備え、該前後方位置決片を前後方向に遊技盤を貫通する軸部の両端に軸方向に投影してなる投影部が互いに重ならないように位相を所定角度ずらして半径方向に延出して設けることにより、いずれか一方の位置決片が遊技盤を取付枠に装着する際の位置決めとなり、パチンコ遊技機の前方又は後方のいずれの方向からも遊技盤を簡単に装着することができるという優れた効果を発揮する。
【発明を実施するための最良の形態】
【００１６】
遊技盤をパチンコ遊技機の前方向及び後方向のいずれの方向からでも着脱できるようにするという目的を、遊技盤の周縁に軸部により回動自在に設けられ遊技盤を取付枠に固定する係止部材に、前記軸部の一端に半径方向に延出して取付枠の後面に当接し遊技盤の前方への移動を阻止する前方位置決片を設け、他端に半径方向に延出して取付枠の前面に当接し遊技盤の後方への移動を阻止する後方位置決片を設け、かつ前記前方位置決片と後方位置決片とは互いに延出方向を所定角度ずらして設け、前後いずれか一方の位置決片により遊技盤の位置決めを行い、遊技盤の固定を行うようにした。
【実施例１】
【００１７】
次に、図面に従い本発明の一実施例について説明する。図１は本発明が適用されるパチンコ遊技機の正面図、図２はパチンコ遊技機の裏面図である。図において、１はパチンコ遊技機の機枠、２は機枠１の前面に開閉自在に装着された前面枠である。前面枠２の前面にはガラス扉枠３及び打球供給皿４が開閉自在に設けられ、その下方に前記打球供給皿４の余剰球を貯留する余剰球受皿５が設けられている。また、前面枠２の裏面には合成樹脂により一体に形成した取付枠６が設けられ、該取付枠６に遊技盤７が着脱自在に装着され、前記ガラス扉枠３を介して該遊技盤７が視認し得るようにしている。また、該遊技盤７の裏面には球タンク８，球払出装置９等の裏部品を組付けた合成樹脂製の機構板１０が開閉自在に装着される。なお、本実施例では前面枠２と取付枠６とを合成樹脂により一体に成形したものとして例示しているが、前面枠２と取付枠６とをそれぞれ別体に形成したものであっても、一部又は全部を金属の折曲により形成したものであってもよい。
【００１８】
前記遊技盤７は、図３に示すようにほぼ方形状に形成され、前面にほぼ円形に配設されたガイドレール１２によって遊技領域７ａが形成されている。そして、その遊技領域７ａ内に表示装置１３，入賞口１４，風車１５等の盤面部品が設けられている。
【００１９】
前記取付枠６は、図３及び図４に示すように遊技盤７の下端を支持する下部側枠６ｂと、遊技盤７の上部及び左右両側をそれぞれ支持する上部側枠６ａ及び左右側枠６ｃ，６ｄとにより額縁状に形成されており、遊技盤７が取付けられる設置領域２０が前後方向に開放して形成されている。そして、下側枠６ｂの前面には前記ガイドレール１２に連通する発射レール１７及びファール球樋１８が設けられている。なお、前記ファール球樋１８は、図上取付枠６と一体に設けられているが、別体に形成してビス着等により取付枠６に固着するようにしてもよい。また、前記取付枠６の開口周縁であり上下側枠６ａ，６ｂ及び左右側枠６ｃ，６ｄの適宜位置に、遊技盤７を設置領域２０に固定させる係止部材２５が複数個回動自在に設けられている。
【００２０】
前記係止部材２５は、図５に示すように取付枠６を貫通する長さを有する細径軸部２６の両端に遊技盤７の前面及び後面に当接し、遊技盤７の相対位置を決める位置決め手段が設けられ、該位置決め手段は軸部２６の一端に半径方向に延出して設けられ遊技盤７の前面が当接して遊技盤７の前方への移動を阻止する前方位置決片２７と、軸部２６の他端に半径方向に延出して設けられ遊技盤７の後面が当接して遊技盤７の後方への移動を阻止する後方位置決片２８とにより構成されている。また、該前方位置決片２７及び後方位置決片２８は、略同一の外形を備えた大きさであり、前記軸部２６の軸方向に投影してなる投影部が互いに重ならないように、所定間隔離間した平行面内で周方向に位相を所定角度ずらして設けられている。そして、前記軸部２６の前後端に操作部として手で係止部材２５を摘んで操作し得る摘み部２９，３０が軸方向に起立して設けられている。前記前後方位置決片２７，２８は、いずれか一方の前後方位置決片２７，２８のみが設置領域２０内に臨み得るように設けられ、実施例において前後方位置決片２７，２８は、互いに所定角度（図上ほぼ９０°）位相をずらした捻れ位置にほぼ遊技盤７の厚みを隔てて設けられている。なお、前記前後方位置決片２７，２８は、実施例において遊技盤７を取付枠６に固定する係止片としての役割をなす。また、前後方位置決片２７，２８を図上略方形状としたが、この形状に限定されるものではなく、扇状であっても軸状であってもよい。さらに、係止部材２５は必ずしも一体に形成することなく分割して形成するようにしてもよく、ビス等により一体化するようにすればよい。
【００２１】
また、前記上下左右側枠６ａ〜６ｄには、前記係止部材２５の軸部２６が支持される設置部が設けられ、該設置部として一端が開放した設置溝３１が設けられている。具体的には、下側枠６ｂ及び左右側枠６ｃ，６ｄの設置溝３１は設置領域２０に向って斜め上方が開放して形成され、上側枠６ａの設置溝３１は一端が下方で開放した円弧状に形成されている。なお、前記設置溝３１の開放端は前記軸部２６よりも僅かに縮径して、係止部材２５が簡単に外れないようにしている。また、例え設置溝３１の一端が開放していても、遊技盤７を取付枠６に取付けた状態では該設置溝３１の開放端が遊技盤７の周縁により閉鎖されるため、係止部材２５が脱落することもなく何等問題となることはない。前記係止部材２５の取付けは、前記軸部２６を設置溝３１の開放端から押挿することで、軸部２６が設置溝３１に支持されて該係止部材２５が取付枠６に着脱回動自在に設けられる。このとき、係止部材２５は前方位置決片２７又は後方位置決片２８により遊技盤７が位置規制されて、該遊技盤７の前面位置が設置領域２０の前面位置に正確に一致するように構成されている。そして、摘み部２９，３０を操作して、軸部２６を支点に回動させることにより、前方位置決片２７及び後方位置決片２８を遊技盤７の前後面に圧接させることができるようになっている。また、好ましくは前記係止部材２５の係止状態及び解除状態を位置決めする位置決め手段を設けるのがよく、該位置決め手段は係止部材２５及び取付枠６に設けられる凹凸の係合であったり、取付枠６に設けられる立壁への衝止であったりすればよい。
【００２２】
次に、遊技盤７の取付枠６への取付けを説明する。まず、パチンコ遊技機の組立て時に優位性を持つ、パチンコ遊技機の後面側からの装着の仕方を説明する。前記上下左右側枠６ａ〜６ｄの設置溝３１に、係止部材２５を前記した要領で図７に示すように一方の前方位置決片２７が設置領域２０に臨み、他方の後方位置決片２８が設置領域２０に臨まないように嵌め込み装着する。このとき、前記係止部材２５が前後対称形状となっていることから、該係止部材２５の装着方向を気にすることなく取付けることができ、作業効率が捗ることになる。そして、遊技盤７を設置領域２０の後方から臨ませ、前方位置決片２７に遊技盤７の前面が当接して位置決めされると、該遊技盤７が取付枠６とほぼ平行になり設置領域２０に収納される。この状態で、図７鎖線に示すように前記係止部材２５の摘み部３０を操作して、ほぼ４５°回転させると、後方位置決片２８が遊技盤７の後面に係止して、それぞれの前後方位置決片２７，２８が遊技盤７の前後面に係止した状態となり、遊技盤７が取付枠６に確固として取付けられる。そして、機構板１０を該遊技盤７の裏面に装着することでパチンコ遊技機の組立てが完了する。
【００２３】
次に、ホールに設置されたパチンコ遊技機の遊技盤７の脱着について説明する。ここでは遊技盤７のみの交換で機種変更するに際して優位性を持つ、パチンコ遊技機の前面側からの遊技盤７の脱着について説明する。遊技盤７を取付枠６から取外すには、まず、図８に示すようにガラス扉枠３を開放して遊技盤７を露呈させる。そして、遊技盤７の前面側に位置する係止部材２５の摘み部２９を指で回動操作して、遊技盤７の前面を係止している前方位置決片２７の係合を解除させて、遊技盤７が取付枠６に戴置された状態とする。そして、遊技盤７を取外す方向つまり手前に傾斜させて取外すことができる。
【００２４】
次に、新しい遊技盤７を前面側から装着するには、図３に示すようにガラス扉枠３が開放され設置領域２０が露呈した状態で、前記係止部材２５の後方位置決片２８のみが設置領域２０に臨んだ状態とし、遊技盤７を設置領域２０内に臨ませる。そして、遊技盤７の後面が後方位置決片２８に当接すると、遊技盤７が取付枠６とほぼ平行となり位置決めされる。この状態で、前記係止部材２５の前面側の摘み部２９を操作して、ほぼ４５°回転させると、図８に示すように前後方位置決片２７，２８のそれぞれが遊技盤７の前面及び後面に係止して、遊技盤７が取付枠６に確固として取付けられる。なお、当然のことながら遊技盤７をパチンコ遊技機の後面側から取外すことも可能であり、前面枠２を開放すると共に図６に示すように機構板１０を開放して遊技盤７を露呈させ、係止部材２５を操作して遊技盤７の係止状態を解除し、前記前面側からの取外しと同様に、図４に示すように遊技盤７を後面側から取外すことができる。
【００２５】
このように、前記係止部材２５の軸部２６の両端に所定間隔を隔てて捻れ位置に前後方位置決片２７，２８を設け、遊技盤７の装着方向によりいずれか一方の当接片が位置決め手段となるようにしたので、取付枠６に対して前方及び後方のいずれの方向からでも遊技盤７を装着することができる。このため、パチンコ遊技機の組立て時においてもホールでの遊技盤７の交換時においても、任意の方向から遊技盤７を着脱することができ、作業効率が大幅に向上する。
【００２６】
また、前記係止部材２５は前記設置領域２０内に臨む位置に突出形成した保持部に設けるようにしてもよく、該保持部に対応して遊技盤７に切欠きを設けるようにすればよい。このとき、前記保持部が上下左右方向の位置決めとなると共に該保持部で遊技盤７の荷重を分散して支持することができる。
【００２７】
また、実施例において係止部材２５の操作部は、手で摘み部２９，３０を操作するようにしたが、操作部にドライバー等の治具が着脱可能に係合する溝，孔又は突部等の係合部を形成して、該治具を使用して係止部材２５を回動操作するようにしてもよい。また、前記摘み部２９，３０を係止部材２５に対して可倒式に設けるようにして、使用しないときには摘み部２９，３０が突出しないように倒して邪魔にならないようにするのが好ましい。なお、この可倒式の摘み部２９，３０の構造は限定されることなく、多種な方法が考えられる。
【実施例２】
【００２８】
図９は他の実施例を示し、前記実施例と異なる点は係止部材２５を遊技盤７側に設けた点であるので、同じ構成には同一符号を付して説明する。なお、この実施例において、係止部材２５が遊技盤７側に設けられていることから、前記実施例とは前後方位置決片２７，２８の位置関係が逆となり、遊技盤７の前面側の位置決片が後方への移動を阻止する後方位置決片２８となり、遊技盤７の後面側の位置決片が前方への移動を阻止する前方位置決片２７となる。また、係止部材２５は遊技盤７の周縁の適宜位置に設けられる設置溝３１に装着される。該設置溝３１は、開放端は細径軸部２６より僅かに縮径して形成される。前記左右側縁に位置する設置溝３１は、僅かに下向き開放の傾斜状に設けられている。というのも、遊技盤７を係止部材２５の摘み部２９，３０を持って持ち上げた際に、遊技盤７の荷重によって係止部材２５が外れないようにすることができるからである。さらに、従来摘める係止部材２５が遊技盤７側に設けられていることがなかったために、遊技盤７を取付枠６に取着する際には、遊技盤７の前面部品（例えばガイドレール１２や周囲の盤面部品）又は裏面部品（例えば表示装置１３等の中央役物の裏側部分）を直接持って行っていた。そのために、把持した部品が変形したり該部品により指先を傷付けたりすることもしばしばあり、装着し難いものであった。しかし、遊技盤７側に係止部材２５を設けることにより、摘み部２９，３０を摘みながら安定した状態で遊技盤７の取付作業を行うことができ、指先を傷付けることもない。
【００２９】
次に、上記構成における遊技盤７の取付枠６への装着の仕方を説明する。なお、取付枠６の前方及び後方から遊技盤７を装着し得ることは、前記実施例と同じであるので、この実施例において前方からの装着について説明する。先ず、図１０に示すようにガラス扉枠３を開放した状態で、遊技盤７の設置溝３１に係止部材２５を嵌挿させ、遊技盤７に回動自在に取付ける。このとき、各係止部材２５の後方位置決片２８のみが遊技盤７の外周からはみ出すように位置させた状態に設置する。そして、好ましくは指で対角線上の係止部材２５の摘み部２９を摘んで遊技盤７を持ち上げ、取付枠６に対し遊技盤７が平行になるように設置領域２０に臨ませ、後方位置決片２８が取付枠６の前面に当接して設置領域２０に遊技盤７を位置決めさせる。そして、この状態で、係止部材２５の摘み部２９を操作して約４５°回動させ、図１１に示すように前後方位置決片２７，２８を左右側枠６ｃ，６ｄの前面及び後面に係止させると、遊技盤７が設置領域２０に確固と固定される。また、遊技盤７の取外しは、逆に摘み部２９を操作して係止部材２５の後方位置決片２８と左右側枠６ｃ，６ｄの前面との係止を解除して、遊技盤７の後面が前方位置決片２７で支持された状態とし、摘み部２９を摘みながら遊技盤７を手前に引き出せば取付枠６から簡単に取外すことができる。なお、実施例において係止部材２５を遊技盤７の左右両側に設けるようにしたが、遊技盤７の上下に位置して設けるようにしてもよく、該係止部材２５により上下側枠６ａ，６ｂに係止するようにすればよい。また、詳細な説明は省略するが、この実施例においても当然前面側からの取付けと同様に、取付枠６の後面側からも遊技盤７を取付けることが可能である。
【００３０】
なお、実施例において、係止部材２５の前後方位置決片２７，２８を遊技盤７の取付枠６に対する相対位置を決める位置決め手段とすると共に、遊技盤７を取付枠６に固定係止する固定手段としたが、遊技盤７の取付枠６に対する相対位置を決める前後方位置決片２７，２８とは別に遊技盤７を取付枠６に固定係止する固定手段を設けるようにしてもよい。例えば、図１２に示すように、前記軸部２６の両端に、遊技盤７又は取付枠６の前後を挟着する一対の挟着片３２，３３を前記前方位置決片２７及び後方位置決片２８と同一平面内にて同一方向に延出するように設けている。具体的には、軸部２６の一方端に前方位置決片２７と遊技盤７又は取付枠６の前面側に係止する前挟着片３２とをほぼ９０°位相をずらして半径方向に延出して設け、他方端に後方位置決片２８と遊技盤７又は取付枠６の前面側に係止する後挟着片３３とがほぼ９０°位相をずらして半径方向に延出して設けられている。つまり、前方位置決片２７と後方位置決片２８とは、軸方向に正面視してほぼ１８０°位相をずらして相反する位置関係にある。そして、前後両端に操作部としての摘み部２９，３０が設けられ、前後方位置決片２７，２８及び前後挟着片３２，３３の内面に係止部材２５の回動位置を位置決めする小突起３４が設けられている。当然取付枠６には前記小突起３４の対向する位置に該小突起３４が嵌る凹部３５が形成される。また、前記小突起３４は係止時の圧接力を高める効果を有する。
【００３１】
前記係止部材２５の作用を、図１３を参考に説明する。図上遊技盤７に係止部材２５が設けられた物として説明する。図１３（イ）は遊技盤７を前面側から取付ける状態であり、後方位置決片２８が遊技盤７の外方に臨んで取付枠６の前面に当接するようにしている。図１３（ロ）は遊技盤７を後面側から取付ける状態であり、前方位置決片２７が遊技盤７の外方に臨んで取付枠６の後面に当接するようにしている。また、図１３（ハ）は前後挟着片３２，３３が取付枠６の前後面に係止して、該遊技盤７が取付枠６に固定される状態を示す。なお、遊技盤７の運搬時には図１３（ハ）鎖線に示すように係止部材２５を回動させて前後方位置決片２７，２８及び前後挟着片３２，３３が遊技盤７の外方に突出しないようにするのが好ましく、前後方位置決片２７，２８が衝突した衝撃により破損することがない。なお、前後方位置決片２７，２８及び前後挟着片３２，３３の位相を約９０°ずらして設けるようにしたが、この角度に限定されるものではなく例えば互いに約１２０°ずらすようにしてもよい。また、遊技盤７の固定手段（前後挟着片３２，３３）は、必ずしも取付枠６又は遊技盤７の前面及び後面に係止する必要はなく、取付枠６は遊技盤７に切溝状に設けた係止部に係合させるようにしてもよい。
【００３２】
このように、前後方位置決片２７，２８と固定手段（前後挟着片３２，３３）を別途設けることで、係止部材２５を取付枠６側に設けた際には前記前後方位置決片２７，２８が取付枠６に当接し、係止部材２５を遊技盤７側に設けた際には、図１３（ハ）に示すように前記前後方位置決片２７，２８が遊技盤７に当接して、係止部材２５の操作性及び安定性が高められることになる。
【００３３】
なお、実施例において前記係止部材２５を、遊技盤７面に対して垂直な回動軸を中心として着脱回動自在に設けるようにしたが、取付枠６の開口周縁又は遊技盤７の周縁に固定的に設けるようにしてもよい。
【００３４】
また、ガラス扉枠３を閉じた状態において、遊技盤７の前面側に突出する前記係止部材２５自体又は摘み部２９等が嵌る凹凸部若しくは孔を、ガラス扉枠３の裏面側に位置する飾り板又は補強板に形成し、突出した前記係止部材２５の摘み部２９等が嵌るようにするのがよい。好ましくは、係止部材２５を規定位置に回動して遊技盤７を固定した状態で、前記係止部材２５自体又は摘み部２９が嵌る形状とし、万一、係止部材２５が遊技盤７をずれた状態で係止している場合には、該係止部材２５がガラス扉枠３裏面に衝止して該ガラス扉枠３を閉鎖することができないため、係止部材２５が確実に定位置で係止しているかを確認する確認手段とすることができる。さらに、係止部材２５が振動等により無用に回動しないように位置決めすることもできる。なお、このことは、遊技盤７の裏面側に位置する機構板１０についてもいえることであり、ガラス扉枠３と同様に、遊技盤７の後面側に突出する前記係止部材２５自体又は摘み部２９等が嵌る凹凸部若しくは孔を機構板１０に形成し、突出した前記係止部材２５の摘み部３０等が嵌るようにするのがよい。当然のことながら、凹凸部若しくは孔を前記係止部材２５自体又は摘み部３０が嵌る形状とすることで、係止部材２５が確実に定位置で係止しているかを確認する確認手段とすることができる。
【００３５】
さらに、係止部材２５を設置溝３１に着脱するに際して、図１４に示すように前記軸部２６をＤカット又は一対の削成平面を有する小判型にすることにより小径部を形成し、それに伴い設置溝３１の開口幅を該軸部２６の小径部が入る程度の幅に設定するのが好ましい。そして、軸部２６の小径部を設置溝３１に臨ませて係止部材２５を回動させるようにすれば、大径部が設置溝３１の開口側に位置して係止部材２５は設置溝３１から抜脱することはない。好ましくは、係止部材２５は遊技盤７を固定する状態で設置溝３１に装着するように、軸部２６の切削面を形成して、該係止部材２５を回動させて遊技盤７を取付枠６に取付け得る状態で設置溝３１から外れなくするのがよく、前記小突起３４等の位置決め手段により係止部材２５を仮固定するのがよい。というのも、係止部材２５を回動させて遊技盤７を取付枠６に固定した状態にして、軸部２６の小径部が開口に対応していても、設置溝３１の開口を取付枠６又は遊技盤７によって閉塞しているので、係止部材２５が設置溝３１の開口から外れることはないからである。なお、前記軸部２６の形状は必ずしも設置溝３１に合致する円弧面を有することなく、小径部と大径部を有する方形状又は楕円として、最大径部を設置溝３１の円弧面の直径とすればよい。
【００３６】
なお、係止部材２５は、設置領域２０と平行面内でスライド自在に設けるようにしてもよく、前方位置決片２７と後方位置決片２８とは遊技盤７の厚さ方向に投影した投影部が重合することなく、スライドすることにより前方位置決片２７及び後方位置決片２８が互いの投影部に重合し得るように摺動部材に設けられる。そして、係止部材２５により遊技盤７が固定されるの状態位置を中心として、前方位置決片２７により前方への移動を規制する位置と後方位置決片２８により後方への移動を規制する位置とを反対方向にスライドさせることで、遊技盤７を前方及び後方のいずれの方向からも装着することができる。さらに、前記係止部材２５の形状は限定されるものではなく、例えば、設置領域２０の周縁近傍又は遊技盤７の周縁近傍に位置するランプ飾り，ガラスの破損を防止するガラス保護板，証紙貼着部材等の飾り部材又は遊技を演出する入賞装置及び表示装置等の遊技盤７に設けられる装着部材，スピーカ等、また遊技盤７の下方に位置する発射レール１７を取付ける取付板及びファール球樋１８の一部等をスライド又は回動し得るように可動自在に設けて、前記装着部材を可動させることにより遊技盤７の前後方向の移動を阻止して、該遊技盤７を取付枠６に固定させるようにしてもよい。
【００３７】
また、実施例において、係止部材２５を取付枠６又は遊技盤に設けるようにして、遊技盤７を取付枠６に固定するようにしたが、前後方位置決片２７，２８又は挟着片３３によって機構板１０を共に固定するようにしてもよく、機構板１０を固定することにより遊技盤７を密着固定するようにしてもよい。
【００３８】
また、実施例において、全て係止部材２５により遊技盤７の位置決めを行うようにしたが、本願発明は、取付枠６の１箇所に設けた位置決片により遊技盤７の位置規制をするようにしてもよい。例えば、下側枠６ｂに遊技盤７の下方後面に当接して遊技盤７の後方への移動を規制する位置規制片を設け、他の上側枠６ａ，左側枠６ｃ，右側枠６ｄ又は遊技盤７の上及び左右周縁に上記した係止部材２５を設けるようにしてもよい。このように、遊技盤７の一箇所を位置決めしても前後いずれの方向からも遊技盤７を取付けることができる。例えば、遊技盤７を後方から装着するには、先ず遊技盤７の下部を設置領域２０に臨ませ、遊技盤７を後ろ傾斜状態で下部後面が前記位置決片に相対するようにする。そして、取付枠６又は遊技盤７に設けた係止部材２５の前方位置決片２７により遊技盤７の前方への移動を規制し、設置領域２０の前後対角状で遊技盤７の位置決めを行い、設置領域２０に遊技盤７が収納された状態で係止部材２５を操作して、前後位置決片２７，２８又は挟着片３２，３３により取付枠６に遊技盤７を装着することができる。当然、前記位置決片を使用すると共に、係止部材２５の前後位置決片２７，２８を使用して、遊技盤７を取付枠６の前方から装着することも可能である。なお、位置規制片を下側枠６ｂに設けるようにしたが、下側枠６ｂに限らず上側枠６ａ，左側枠６ｃ，右側枠６ｄに設けるようにしてもよい。また、位置規制片に替えて、側枠６ａ〜６ｄのいずれかに遊技盤７の端部が嵌る溝若しくは前後を保持する立壁を並列又は交互に設けることにより溝状部を形成して、遊技盤７の一端を前記溝又は溝状部で位置決めするようにしてもよい。
【００３９】
なお、前記実施例において、設置領域２０を上下左右側枠６ａ〜６ｄにより方形状に形成するようにしたが、この形状に限定されることなく、設置領域２０は円形であっても蒲鉾型であっても、本発明は適用可能である。当然のことながら、設置領域２０の形状に伴い遊技盤７の形状も変化する。
【００４０】
また、遊技盤７の取付けに関するもの以外のパチンコ遊技機の形態は実施例に限定されるものではなく、例えばガラス扉枠３と打球供給皿４が一体的に開閉自在に設けられるもの、さらに余剰球受皿５が一体的に開閉自在に設けられるもの等様々な形態が可能である。
【図面の簡単な説明】
【００４１】
【図１】本発明が適用されるパチンコ遊技機の正面図である。
【図２】本発明が適用されるパチンコ遊技機の裏面図である。
【図３】ガラス扉枠を開き取付枠から遊技盤を取外した状態のパチンコ遊技機の正面斜視図である。（実施例１）
【図４】機構板を開き取付枠から遊技盤を取外した状態のパチンコ遊技機の裏面斜視図である。
【図５】係止部材を外して示す取付枠の要部の斜視図である。
【図６】遊技盤の取付状態を示す平面断面図である。
【図７】係止部材の作用を示す要部正面図である。
【図８】遊技盤の取付状態を示す平面断面図である。
【図９】ガラス扉枠を開き取付枠から遊技盤を取外した状態のパチンコ遊技機の正面斜視図である。（実施例２）
【図１０】遊技盤の取付状態を示す側面断面図である。
【図１１】遊技盤の取付状態を示す平面断面図である。
【図１２】他の実施例の係止部材の斜視図である。
【図１３】（イ）〜（ハ）は図１１の係止部材の作用を示す説明図である。
【図１４】他の実施例の係止部材を外して示す取付枠の要部の斜視図である。
【符号の説明】
【００４２】
３                ガラス扉枠
６                取付枠
７                遊技盤
２０              設置領域
２５              係止部材
２６              軸部
２７              前方位置決片
２８              後方位置決片
２９，３０        摘み部（操作部）
３２，３３        挟着片
【図１】
2005046381.tif 000003
【図２】
2005046381.tif 000004
【図３】
2005046381.tif 000005
【図４】
2005046381.tif 000006
【図５】
2005046381.tif 000007
【図６】
2005046381.tif 000008
【図７】
2005046381.tif 000009
【図８】
2005046381.tif 000010
【図９】
2005046381.tif 000011
【図１０】
2005046381.tif 000012
【図１１】
2005046381.tif 000013
【図１２】
2005046381.tif 000014
【図１３】
2005046381.tif 000015
【図１４】
2005046381.tif 000016